(57)【要約】【課題】煩雑な作業を要さず、形状が大形にならず、構造が簡単で、雨水対策と日射対策を兼ねるようにする。【解決手段】電気機器を収納する箱体１の前面開口縁部に軸支され、開口を開閉自在に閉塞する扉４と、扉４の上端部に固着された支持体６と、支持体６に固着され、扉４の閉塞状態で箱体１の天井板３上方に位置して遮熱板となり、扉４の開放状態で箱体１の前側上方に位置して雨除け板となる板体７とを備える。【選択図】　　　　図１
2004007883.tif 000002
【特許請求の範囲】
【請求項１】
電気機器を収納する箱体の前面開口縁部に軸支され、前記開口を開閉自在に閉塞する扉と、
前記扉の上端部に固着された支持体と、
前記支持体に固着され、前記扉の閉塞状態で前記箱体の天井板上方に位置して遮熱板となり、前記扉の開放状態で前記箱体の前側上方に位置して雨除け板となる板体と
を備えたことを特徴とする屋外用スイッチギヤ。
【請求項２】
箱体の前面開口を左・右の２個の扉が閉塞し、前記両扉にそれぞれ支持体を介して板体が固着されたことを特徴とする請求項１記載の屋外用スイッチギヤ。
【請求項３】
両扉の閉塞状態において、前記両扉の板体の少なくとも中央側部分の高さが異なることを特徴とする請求項２記載の屋外用スイッチギヤ。
【請求項４】
両扉の開放状態において、前記両扉の板体の中央側部分が重なることを特徴とする請求項３記載の屋外用スイッチギヤ。
【請求項５】
両扉の開放状態において、前記両扉の板体が、中央側部分が高く外側部分が低く傾斜していることを特徴とする請求項２、３または４記載の屋外用スイッチギヤ。
【発明の詳細な説明】
【０００１】
【発明の属する技術分野】
本発明は、箱体に電気機器を収納する屋外用スイッチギヤに関し、さらに詳しくは１個の板体により遮熱板と雨除け板を兼用するようにした屋外用スイッチギヤに関する。
【０００２】
【従来の技術】
従来の屋外用スイッチギヤは、電気機器を収納する箱体の前面側上方に雨除けが無いため、雨天時に前面の扉を開放すると、雨水が箱体内に侵入する恐れがある。そのため、雨天時に保守点検などで扉を開放する必要がある場合、雨水対策として箱体の前面側上部に別個にビニールシートなどの雨除けを設置している。
【０００３】
また、雨除けとして、箱体の天井板を前方に延長したり、天井板の下方から前方へパネルを引き出すことが考えられている。
【０００４】
一方、箱体内に電子機器など熱的に弱い機器を収納する場合、日射対策として箱体の天井板上方に遮熱板を固定して設け、上部を二重構造とし、箱体内部への受熱量伝播の低減を図っている。
【０００５】
【発明が解決しようとする課題】
従来の前記雨水対策として、箱体の前面側上部にビニールシートなどを設置する場合、シートなどの取付け、取外しに煩雑な作業を要する。
【０００６】
また、箱体の天井板を前方に延長する場合、形状が大形になり、輸送制限など寸法上の制約を生ずる。
【０００７】
さらに、天井板の下方からパネルを前方へ引き出す場合、構造が複雑になり、高価になる。
【０００８】
一方、日射対策として箱体内部への受熱量伝播の低減を図るため、雨水対策とは別に遮熱板を設けねばならぬという問題点がある。
【０００９】
本発明は、前記の点に留意し、煩雑な作業を要さず、形状が大形にならず、構造が簡単で、雨水対策と日射対策を兼ねる屋外用スイッチギヤを提供することを目的とする。
【００１０】
【課題を解決するための手段】
前記目的を達成するために、本発明の屋外用スイッチギヤは、電気機器を収納する箱体の前面開口縁部に軸支され、前記開口を開閉自在に閉塞する扉と、前記扉の上端部に固着された支持体と、前記支持体に固着され、前記扉の閉塞状態で前記箱体の天井板上方に位置して遮熱板となり、前記扉の開放状態で前記箱体の前側上方に位置して雨除け板となる板体とを備えたものである。
【００１１】
前記のように構成された本発明の屋外用スイッチギヤは、扉の上端部に支持体を介して板体が固着され、その板体が、扉の閉塞状態で箱体の天井板上方に位置して遮熱板となるため、箱体内部への受熱量伝播の低減を図ることができ、特別な日射対策を設ける必要がなく、かつ、板体が、扉の開放状態で箱体の前側上方に位置して雨除け板となるため、雨天時扉を開放して保守点検などを行う場合、雨水対策として特別な雨よけを設置する必要がなく、作業性が向上し、また、形状も大形にならず、輸送制限などの寸法上の制約に対して有利であり、さらに、雨天時以外でも、扉の開放による板体により、箱体前側の日射が遮られ、ディジタル表示機器など屋外では読み取りにくい機器の表示が読み取りやすくなる。
【００１２】
つぎに、箱体の扉が左・右の２個の扉からなる場合、両扉にそれぞれ支持体を介して請求項１記載の板体を固着するのが望ましい（請求項２）。
【００１３】
この場合、箱体前側上方を２個の板体により広い範囲に覆うことが可能となる。
【００１４】
なお、２個の扉の場合でも片方の扉のみに板体を固着するようにしてもよいのは勿論である。
【００１５】
つぎに、両扉の閉塞状態において、両扉の板体の少なくとも中央側部分の高さを異ならせるのが好ましい（請求項３）。
【００１６】
この場合、左・右の板体全体の高さが異なっていてもよいし、閉塞状態における中央側部分のみの高さが異なっていてもよい。
【００１７】
この高さの異なることにより、両扉の開閉にともなう両板体の移動時の干渉を防ぎ、板体を大きくでき、日射対策及び雨水対策をより確実に行うことができる。
【００１８】
つぎに、両扉の開放状態において、両扉の板体の中央側部分が重なることが望ましい（請求項４）。
【００１９】
この場合、両扉の開放状態で左・右の板体の中央側部分が上・下に重なっているため、箱体前側中央部分への雨水の落下を防ぐことができる。
【００２０】
つぎに、両扉の開放状態において、両扉の板体が、中央側部分が高く外側部分が低く傾斜していることが好ましい（請求項５）。
【００２１】
この場合、両板体に落下した雨水は、箱体前側の両側に流れ落ち、箱体前側の中央部分には流れ落ちず、箱体内への雨水の侵入が防止され、保守点検作業がより容易になる。
【００２２】
【発明の実施の形態】
本発明の実施の各形態を図１ないし図８を参照して説明する。各図において、同一符号は同一もしくは相当するものを示す。
〔形態１〕
形態１を図１ないし図３を参照して説明する。１は基礎ベース２上に設置された屋外用スイッチギヤの箱体であり、電気機器、ディジタル表示機器などを収納している。３は箱体１の天井板、４は箱体１の左・右の扉であり、箱体１の前面開口の左縁部、右縁部に軸支され、開口を開閉自在に閉塞する。５は両扉４の把手である。
【００２３】
６は断面Ｌ形横長２個の支持体であり、下片の下面が両扉４のそれぞれの上端面に当接し、両支持体６が両扉４の上端部に固着されている。
【００２４】
７は平面がほぼ４分の１円の２個の板体であり、鋼板の他に、軽量化を目的としてアルミ材などからなり、半径が扉４の幅長さより若干長く、両板体７が両支持体６の縦片の上端部に固着され、両扉４の閉塞状態において、両板体７の一側が両扉４に平行に、他側が箱体１の側板１’に平行に位置し、板体７が天井板３に平行になり、後部が若干低く傾斜している。
【００２５】
８は三角形の補強板であり、支持体６と板体７との間に複数個ずつ設けられ、補強板８の一側が支持体６の縦片に固着され、他側が板体７の下面に固着され、板体７支持の補強をしている。
【００２６】
そして、各図の実線で示す両扉４の閉塞状態において、両板体７は箱体１の天井板３上方に位置し、日射を遮って箱体１内部への受熱量伝播の低減を図っている。
【００２７】
つぎに、両扉４が開放状態になると、両扉４、両板体７は各図の２点鎖線で示す４’、７’の位置に移動し、両板体７’が箱体１の前側上方に位置し、雨天時の保守点検などに際し、両扉４を開放しても雨水が箱体１内に侵入することを防ぎ、雨水対策として特別の雨除けを設置する必要がなく、作業性が向上する。
【００２８】
また、雨天時以外でも、板体７により箱体１前側の日射が遮られるため、ディジタル表示機器などの表示が読み取りやすくなる。
【００２９】
なお、前記形態では扉４が左・右の２個の場合であるが、扉４が１個の場合であっても、本発明は同様の作用効果を有する。
【００３０】
〔形態２〕
形態２を図４及び図５を参照して説明する。この形態は、両板体７が水平に位置し、左の板体７の位置が高く、右の板体７の位置が高く、両板体７はほぼ四角形で、右の板体７は一部の角部９が欠如しており、かつ、左の支持体６の中央側、即ち右側部分が欠如し、短くなっている。
【００３１】
従って、両扉４の開放に際し、両板体７及び支持体６が干渉せず、板体７の面積を大きく、かつ、後方へ長くでき、両扉４の閉塞状態で、箱体１の天井板３上方を全て覆うことができ、日射対策をより完全に行うことができ、両扉４の開放状態で、箱体１の前側上方を広く覆って雨水対策をより確実に行うことができる。
【００３２】
〔形態３〕
形態３を図６及び図７を参照して説明する。この形態は、両板体７が水平に位置し、両箱体７の高さが同一であるが、両板体７はほぼ四角形で、左の板体７の右側部が一段と高く折曲されており、右の板体７の一部の角部９が欠如しており、左の支持体６の右側部が欠如し、かつ、両扉４の閉塞状態で、左の板体７が右方へ長く、両板体７の中央側部分が上下に重なり、両板体７の後部が形態２に比し長くなっている。
【００３３】
従って、両扉４の開放時、両板体７、支持体６が干渉せず、両扉４の閉塞状態で両板体７が重なっているため、開放状態で両板体７の箱体１前側を覆う長さが前後方向に長くなり、かつ、両板体７の後部が長くなっているため、開放状態で両板体７の中央部分が重なり、箱体１前側中央部分への雨水の落下が防止できる。
【００３４】
〔形態４〕
形態４を図８を参照して説明する。この形態は、板体７が扉４の閉塞状態で前部が低く後部が高く傾斜し、両扉４の開放状態で両板体７が、中央部分が高く外側部分が低く傾斜し、両板体７に落下した雨水は、箱体１前側の両側に流れ落ち、箱体１前側の中央部分には流れ落ちず、箱体１内への雨水の浸入が防止され、保守点検作業がより容易になる。
【００３５】
また、扉４の閉塞状態で板体７の前部に上方への折曲片１０を形成することにより、扉４の閉塞状態で板体７への雨水は、箱体１の前側に流れ落ちることはない。
【００３６】
さらに、扉４の閉塞状態で板体７前部の外側部を若干低く傾斜するようにすれば、扉４の閉塞及び開放状態で、板体７への雨水は箱体１前側の外側部に流れ落ちる。
この形態４は、前記各形態にも適用し得るのは勿論である。
【００３７】
【発明の効果】
本発明は、以上説明したように構成されているので、以下に記載されるような効果を奏する。
扉４の上端部に支持体６を介して板体７が固着され、その板体７が、扉４の閉塞状態で箱体１の天井板３上方に位置して遮熱板となるため、箱体１内部への受熱量伝播の低減を図ることができ、特別な日射対策を設ける必要がなく、かつ、板体７が、扉４の開放状態で箱体１の前側上方に位置して雨除け板となるため、雨天時扉４を開放して保守点検などを行う場合、雨水対策として特別な雨よけを設置する必要がなく、作業性が向上し、また、形状も大形にならず、輸送制限などの寸法上の制約に対して有利であり、さらに、雨天時以外でも、扉４の開放による板体７により、箱体１前側の日射が遮られ、ディジタル表示機器など屋外では読み取りにくい機器の表示が読み取りやすくなる。
【００３８】
また、箱体１の扉４が左・右の２個の扉４からなる場合、両扉４にそれぞれ支持体６を介して前記板体７を固着するのが望ましく、この場合、箱体１前側上方を２個の板体７により広い範囲に覆うことが可能となる。
【００３９】
つぎに、両扉４の閉塞状態において、両扉４の板体７の少なくとも中央側部分の高さを異ならせるのが好ましく、この高さの異なることにより、両扉４の開閉にともなう両板体７の移動時の干渉を防ぎ、板体７を大きくでき、日射対策及び雨水対策をより確実に行うことができる。
【００４０】
また、両扉４の開放状態において、両扉４の板体７の中央側部分が重なることが望ましく、この場合、両扉４の開放状態で左・右の板体７の中央側部分が上・下に重なっているため、箱体前側中央部分への雨水の落下を防ぐことができる。
【００４１】
つぎに、両扉４の開放状態において、両扉４の板体７が、中央側部分が高く外側部分が低く傾斜していることが好ましく、この場合、両板体７に落下した雨水は、箱体１前側の両側に流れ落ち、箱体１内への雨水の侵入をより確実に防止することができる。
【図面の簡単な説明】
【図１】本発明の実施の形態１の平面図である。
【図２】図１の正面図である。
【図３】図１の右側面図である。
【図４】本発明の実施の形態２の平面図である。
【図５】図４の一部の正面図である。
【図６】本発明の実施の形態３の平面図である。
【図７】図６の一部の正面図である。
【図８】本発明の実施の形態４の右側面図である。
【符号の説明】
１　箱体
３　天井板
４　扉
６　支持体
７　板体
【図１】
2004007883.tif 000003
【図２】
2004007883.tif 000004
【図３】
2004007883.tif 000005
【図４】
2004007883.tif 000006
【図５】
2004007883.tif 000007
【図６】
2004007883.tif 000008
【図７】
2004007883.tif 000009
【図８】
2004007883.tif 000010